(57)【要約】【課題】卓上で処理した散薬を持ち歩かなくても自動分包できるようにする。【解決手段】上面で調剤作業を行える卓部材３４の上方に作業空間３３を囲う作業空間部３０と、卓部材３４の下方に散薬分包機４２を収納した分包機収納部４０と、作業空間部３０および分包機収納部４０の内部を大気より負圧にする負圧吸引手段２０とを備える。また、卓部材３４に貫通穴３４ａを形成し、この穴の下方に散薬分包機４２の散薬投入部４１を配置する。さらに、水平移動して貫通穴３４ａを開閉する上面の平らな蓋体３５を卓部材３４に付設する。これにより、調剤済み散薬を直ぐに薬剤分包機へ投入できる。【選択図】        図１
2005160858.tif 000002
【特許請求の範囲】
【請求項１】
上面で調剤作業を行える卓部材の上方に作業空間を囲う作業空間部と、前記卓部材の下方に散薬分包機を収納した分包機収納部と、前記作業空間部および前記分包機収納部の内部を大気より負圧にする負圧吸引手段とを備えている散薬分包機付き調剤台。
【請求項２】
前記卓部材に貫通穴が形成され、この貫通穴の下方に前記散薬分包機の散薬投入部が配置されていることを特徴とする請求項１記載の散薬分包機付き調剤台。
【請求項３】
水平移動して前記貫通穴を開閉する上面の平らな蓋体が、前記卓部材に付設されていることを特徴とする請求項２記載の散薬分包機付き調剤台。
【発明の詳細な説明】
【技術分野】
【０００１】
この発明は、病院薬局等で用いられる散薬分包機付き調剤台に関し、詳しくは、抗ガン剤などの剤形変更や自動分包に適した調剤装置に関する。
【背景技術】
【０００２】
調剤台と薬剤分包機とをコンパクトに纏めた調剤装置が開発され提供されている（例えば特許文献１参照）。これは、計量から分包までの調剤作業が容易に行えるよう、卓状作業板の上方の後背部に棚の付いた調剤台と、Ｒ円盤方式やＶマス方式の散薬分包機とを組み合わせるに際して、作業板下方の脚部に散薬分包機を収納するとともに、散薬投入用の開口を作業板に貫通形成したものであり、卓状作業板の上方は棚のところは別として解放されている。
【０００３】
一方、抗ガン剤など効き目や副作用の強い薬剤について、小児向けに用量を減らしたり服用し易くする等のため錠剤を砕いて散薬に剤形変更するような場合、その作業は、舞い上がった薬剤を作業者が吸い込むことのないよう、クリーンベンチ等で行われている。そのようにして剤形変更した薬剤を更に自動分包する場合、その散薬を散薬分包機のところへ運んで散薬分包機の散薬投入部に投入していた。
【０００４】
【特許文献１】特開２００２−８５５２３号公報
【発明の開示】
【発明が解決しようとする課題】
【０００５】
しかしながら、粉末状の抗ガン剤などを人手で持ち歩くのは、薬剤が散逸しないよう注意深く行わなければならないので、作業効率・能率が悪く、作業者の精神的負担も重い。
そこで、卓上で処理した散薬を持ち歩かなくても自動分包できるような調剤装置を実現することが技術的な課題となる。
【課題を解決するための手段】
【０００６】
本発明の散薬分包機付き調剤台は（解決手段１）、このような課題を解決するために創案されたものであり、上面で調剤作業を行える卓部材の上方に作業空間を囲う作業空間部と、前記卓部材の下方に散薬分包機を収納した分包機収納部と、前記作業空間部および前記分包機収納部の内部を大気より負圧にする負圧吸引手段とを備えたものである。
【０００７】
また、本発明の散薬分包機付き調剤台は（解決手段２）、上記解決手段１の散薬分包機付き調剤台であって、前記卓部材に貫通穴が形成されており、この貫通穴の下方に前記散薬分包機の散薬投入部が配置されている、というものである。
【０００８】
さらに、本発明の散薬分包機付き調剤台は（解決手段３）、上記解決手段２の散薬分包機付き調剤台であって、前記卓部材に蓋体が付設されており、この蓋体は上面が平らであり且つ水平移動して前記貫通穴を開閉するようになっている、というものである。
【発明の効果】
【０００９】
このような本発明の散薬分包機付き調剤台にあっては（解決手段１）、卓部材の上面で剤形変更や調合などの調剤作業を行うことができるうえ、それで得た散薬を直ぐ下の散薬分包機に投入することにより、散薬を持ち歩くことなく、自動分包することができる。
また、卓部材上方の作業空間も、卓部材下方の分包機収納空間も、囲われているうえ、負圧吸引手段にて大気より負圧にされているので、調剤作業中も自動分包中も薬剤の散逸するおそれがない。
したがって、この発明によれば、卓上で処理した散薬を持ち歩かなくても自動分包できるような調剤装置を実現することができる。
【００１０】
また、本発明の散薬分包機付き調剤台にあっては（解決手段２）、卓部材に形成した貫通穴を介して薬剤投入が行えるようにもしたことにより、作業空間で調剤して得た散薬を一時たりとも装置外に出すことなく散薬分包機に投入することができる。
さらに、本発明の散薬分包機付き調剤台にあっては（解決手段３）、卓部材に薬剤投入用の貫通穴が開いていても、その貫通穴を薬剤投入時以外は蓋体で閉めておき、その上でも作業できるようにもしたことにより、作業空間を無駄なく使用することができる。しかも、その開閉が水平移動にてなされるので、簡単に開け閉めできるうえ、器具や薬剤を誤って落とす心配もない。
【発明を実施するための最良の形態】
【００１１】
このような本発明の散薬分包機付き調剤台について、これを実施するための具体的な形態を、以下の実施例１〜３により説明する。
図１に示した実施例１は、上述した解決手段１〜３（出願当初の請求項１〜３）を具現化したものであり、図２に示した実施例２、及び図３に示した実施例３は、その変形例である。
なお、それらの図示に際しては、簡明化等のため、ボルト等の締結具，ヒンジ等の連結具，電動モータ等の駆動源，タイミングベルト等の伝動部材，モータドライバ等の電気回路，コントローラ等の電子回路などは図示を割愛し、発明の説明に必要なものや関連するものを中心に図示した。
【実施例１】
【００１２】
本発明の散薬分包機付き調剤台の実施例１について、その具体的な構成を、図面を引用して説明する。図１は、散薬分包機付き調剤台の構造を示し、（ａ）が正面図、（ｂ）が縦断側面図、（ｃ）が斜視図である。
この散薬分包機付き調剤台１０は、一の筐体に納まっているが、その内部を大別すると上段の負圧吸引部２０と中断の作業空間部３０と下段の分包機収納部４０とに分けられる。
【００１３】
作業空間部３０には、周りを囲われた作業空間３３が確保されている。具体的には、左右が筐体の側面パネルで囲われ、後が筐体の背面パネルで囲われ、上が負圧吸引部２０との仕切り板で囲われ、下が卓部材３４で囲われ、前がシャッター３１で囲われている。シャッター３１は開閉のため可動式になっているが、他の部材は固定されている。
【００１４】
また、卓部材３４は、上面が平坦で、その面上や上方の作業空間３３で調剤作業が遣りやすいものとなっており、この例では作業空間部３０と分包機収納部４０との仕切り板も兼ねている。この卓部材３４には、薬剤投入のための貫通穴３４ａが形成されており、その貫通穴３４ａを開閉する蓋体３５が付設されている。蓋体３５は、上面の平らな部材たとえば板材からなり、図示しないスライドレール等で摺動容易に支持されて水平移動の可能なものであり、水平移動して貫通穴３４ａを開閉するようになっている。
【００１５】
分包機収納部４０には、散薬投入部４１の付いた散薬分包機４２が収納されており、分包機収納部４０の周りも、筐体パネルや，分包体取出窓４３の付いた扉で、囲われている。散薬分包機４２は（例えば特許文献１参照）、散薬投入部４１で一包分ずつ分割された散薬を分包帯・分包紙にて区分しながら包装する包装装置と、マイクロプロセッサ等からなる分包制御装置とを格納したものである。分包を終えた分包体は、小さな取出窓４３を開けて取り出せるようになっている。
【００１６】
薬剤分配部でもある散薬投入部４１には、薬剤投入口のある散薬フィーダや、Ｒ円盤方式では環状溝の形成された回転盤や切出装置等が設けられる（特開昭６３−５５００１号公報等参照）。その他、Ｒマス方式では枡状に区切られて円環状に列べられた多数の区画室を持った回転盤やその区画室の開閉手段等が設けられ、Ｖマス方式では直線上に列べられた多数の枡体やその往復動手段等が設けられる。何れの方式であっても、散薬投入部４１に投入された散薬を自動で分包するものであれば足り、散薬投入部４１は卓部材３４の貫通穴３４ａ経由で薬剤を投入しうるよう、貫通穴３４ａの下方に配置されている。
【００１７】
負圧吸引部２０には、ＨＥＰＡやＵＬＰＡ等のフィルタ２１と、負圧吸引手段としてのブロワー２２とが収納されている。負圧吸引部２０は、装置内の空気をブロワー２２にて吸引してフィルタ２１に送り込むことで空気を清浄にするとともに、それを装置内に再び送り込んで循環させるようになっている。作業空間３３の後背部の左右両隅には通気管３２が縦に走っており、この通気管３２を介してブロワー２２が作業空間部３０内の作業空間３３の空気ばかりか分包機収納部４０の内部の空気も吸引することにより、作業空間部３０および分包機収納部４０の内部を大気より負圧にするようになっている。
【００１８】
この実施例１の散薬分包機付き調剤台について、その使用態様及び動作を、図面を引用して説明する。図１（ｃ）は、使用状態を示す斜視図である。
【００１９】
例えば、錠剤の抗ガン剤を細かく砕いて散薬にするときは、先ずブロワー２２を作動させて作業空間３３や散薬投入部４１周りを清浄な負圧状態にしておき、それから、シャッター３１を開け、貫通穴３４ａを閉めて、卓部材３４上で作業を行う。そのとき、作業空間３３の空気は後方へ吸引されているので、例え抗ガン剤の一部が舞い上がったとしても、それを作業者が吸い込む心配はない。また、貫通穴３４ａを閉めれば、器具等の落下のおそれもなく、蓋体３５の上面も含めて卓部材３４を広く使って作業することができるので、調剤作業が容易かつ迅速に進む。
【００２０】
そして、抗ガン剤が散薬になったら、蓋体３５の上に器具や薬瓶などが乗っていればそれをその外へ例えば後方へ片付けてから、蓋体３５をスライドさせて貫通穴３４ａを開け、そこから下方の散薬投入部４１に散薬を投入する。後は、蓋体３５を閉め、シャッター３１も閉めて、散薬分包機４２を作動させる。分包を終えたら、取出窓４３を開けて、分包体を取り出す。
こうして、本発明の散薬分包機付き調剤台１０にあっては、砕いた抗ガン剤を持ち歩くことなく更には一時たりとも装置外に出すことなく分包することができる。
【実施例２】
【００２１】
本発明の散薬分包機付き調剤台の実施例２について、その具体的な構成を、図面を引用して説明する。図２は、（ａ）及び（ｂ）が透明扉を閉めた状態を示し、（ａ）が正面図、（ｂ）が縦断側面図である。また、（ｃ）及び（ｄ）が透明扉を開けた状態を示し、（ｃ）が正面図、（ｄ）が縦断側面図である。
【００２２】
この散薬分包機付き調剤台５０が上述した実施例１の散薬分包機付き調剤台１０と相違するのは、フィルタ２１及びブロワー２２を格納した負圧吸引部２０が装置の後背部に移った点と、作業空間３３の前面を開閉する部材がシャッター３１から透明板５１及び透明扉５２になった点である。
【００２３】
この場合、負圧吸引部２０と、それよりも前部に配された上段の作業空間部３０及び下段の分包機収納部４０とが、全域に多数の小穴が穿孔されたバッフル板５３で仕切られ、作業空間部３０も分包機収納部４０も内部の空気が後方へ負圧吸引される。
また、作業空間３３前面の上半分が常に透明板５１で覆われ、作業空間３３前面の下半分だけが上下スライド式の透明扉５２で開閉されるようになっている。
【００２４】
そのため、作業空間３３で調剤作業を行うとき、作業者は、透明扉５２を開けて、そこから作業空間３３に手を入れて作業するが、その際、作業者の顔と作業空間３３とが透明板５１で仕切られているので、作業空間３３の空気が後方へ吸引されていることとも相まって、舞い上がった抗ガン剤などを作業者が吸い込む心配は全くない。
また、装置の全高が抑えられるので、他の調剤機器と高さを揃えるのも容易になる。
【実施例３】
【００２５】
本発明の散薬分包機付き調剤台の実施例３について、その具体的な構成を、図面を引用して説明する。図３は、散薬分包機付き調剤台の構造を示し、（ａ）が正面図、（ｂ）が縦断側面図である。
この散薬分包機付き調剤台６０が上述した実施例２の散薬分包機付き調剤台５０と相違するのは、透明扉５２に小穴６１が開けられた点と、筐体天板上に給気ユニット６３が設置された点である。
【００２６】
小穴６１は、腕を差し込める程度の大きさで二カ所に穿孔形成されている。さらに、小穴６１の内側には柔らかい筒状の袖カバー６２が付いている。
そのため、抗ガン剤や鉢等の器具を作業空間３３に入れるときには透明扉５２を開けるが、その後、抗ガン剤を砕く作業等は透明扉５２を閉めて行うことができる。透明扉５２を閉め、小穴６１から手を差し込み、透明板５１から覗き込みながら、作業することにより、例え抗ガン剤が激しく舞い上がったとしても、それを作業者が吸い込む心配は全くない。
【００２７】
また、給気ユニット６３には、ＨＥＰＡやＵＬＰＡ等のフィルタ６４が内蔵され、下面の前列部分には下向き送気孔６３ａが多数形成され、外気取込用の給気管６５が連結されている。そして、フィルタ６４は、外気が給気管６５で送られて来ると、その外気を、フィルタ６４で清浄にしてから、送気孔６３ａを介して、透明板５１の前方に吹き付けるようになっている。
【００２８】
この散薬分包機付き調剤台６０にあっては、透明扉５２を閉めて作業できることと負圧吸引部２０の働きとが相まって、作業者が抗ガン剤を吸い込む心配は全くないが、そのうえ更に、透明板５１の前の作業者に向けて清浄な外気を送り込むようにもしたことにより、作業者は一抹の不安すら抱くことなく十分に安心して、抗ガン剤の剤形を変えるといった調剤作業を行うことができる。
【００２９】
［その他］
上記の各実施例では、調剤対象が抗ガン剤であったが、調剤対象は、抗ガン剤に限られるわけでなく、その他の薬剤であっても良い。
また、負圧吸引部２０は、筐体内で空気を循環させるようになっていたが、循環は必須でなく、例えば装置外へ排気するようになっていても良い。フィルタ２１やブロワー２２を内蔵している必要もなく、負圧吸引手段は、外部設備に連通接続された吸気管や吸気口群であっても良い。
【図面の簡単な説明】
【００３０】
【図１】本発明の実施例１について、散薬分包機付き調剤台の構造および使用状態を示し、（ａ）が正面図、（ｂ）が縦断側面図、（ｃ）が斜視図である。
【図２】本発明の実施例２について、散薬分包機付き調剤台の構造を示し、（ａ）が正面図、（ｂ）が縦断側面図、（ｃ）が正面図、（ｄ）が縦断側面図である。
【図３】本発明の実施例３について、散薬分包機付き調剤台の構造を示し、（ａ）が正面図、（ｂ）が縦断側面図である。
【符号の説明】
【００３１】
１０…散薬分包機付き調剤台、
２０…負圧吸引部、２１…フィルタ、２２…ブロワー、
３０…作業空間部、３１…シャッター、３２…通気管、
３３…作業空間、３４…卓部材、３４ａ…貫通穴、３５…蓋体、
４０…分包機収納部、４１…散薬投入部、４２…散薬分包機、
５０…散薬分包機付き調剤台、
５１…透明板、５２…透明扉、５３…バッフル板、
６０…散薬分包機付き調剤台、
６１…小穴、６２…袖カバー、６３…給気ユニット、
６３ａ…送気孔、６４…フィルタ、６５…給気管
【図１】
2005160858.tif 000003
【図２】
2005160858.tif 000004
【図３】
2005160858.tif 000005